【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
遊技者が獲得し貯蓄された貯蓄遊技媒体数を遊技用記録媒体の識別情報に対応付けて管理する管理手段と通信可能であり、各遊技機に対応して配置される遊技用装置であって、
遊技者が獲得した遊技媒体を計数する計数手段と、
該計数手段が計数した遊技媒体数を記憶する計数情報記憶手段と、
前記遊技用記録媒体を受付ける受付手段と、
該受付手段が受付けている遊技用記録媒体の識別情報を前記管理手段に送信するとともに、該送信した識別情報に対応付けて前記管理手段が管理している貯蓄遊技媒体数を特定するための情報を受信する通信手段と、
所定数の遊技媒体と所望の物品とを交換するための交換操作を受付ける交換操作受付手段と、を備え、
前記通信手段は、
前記交換操作が受付けられ、前記管理手段が管理している貯蓄遊技媒体数が前記所定数を超えるときに、前記計数情報記憶手段が記憶している遊技媒体数の有無にかかわらず、前記管理手段が管理している貯蓄遊技媒体数から前記所定数を減算させるための減算要求を前記管理手段に送信し、
前記交換操作が受付けられ、前記管理手段が管理している貯蓄遊技媒体数が前記所定数より少ないときに、前記所定数より少ない特定数を、前記管理手段が管理している貯蓄遊技媒体数から減算させるための減算要求を前記管理手段に送信し、
前記遊技用装置は、さらに、
前記交換操作が受付けられ、前記管理手段が管理している貯蓄遊技媒体数が前記所定数より少ないときに、前記所定数と前記特定数との差分である差分遊技媒体数を、前記計数情報記憶手段が記憶している遊技媒体数から減算する差分減算手段と、
前記差分減算手段により減算する処理が行なわれたことを特定可能に表示する差分減算表示手段と、
営業終了に際して送信される営業終了時処理要求を受信したことに基づいて、前記計数手段による計数を無効とする計数無効手段と、を備えることを特徴とする遊技用装置。
【請求項２】
遊技者が獲得し貯蓄された貯蓄遊技媒体数を遊技用記録媒体の識別情報に対応付けて管理する管理手段と通信可能であり、各遊技機に対応して配置される遊技用装置であって、
遊技者が獲得した遊技媒体を計数する計数手段と、
該計数手段が計数した遊技媒体数を記憶する計数情報記憶手段と、
前記遊技用記録媒体を受付ける受付手段と、
該受付手段が受付けている遊技用記録媒体の識別情報を前記管理手段に送信するとともに、該送信した識別情報に対応付けて前記管理手段が管理している貯蓄遊技媒体数を特定するための情報を受信する通信手段と、
所定数の遊技媒体と所望の物品とを交換するための交換操作を受付ける交換操作受付手段と、
前記交換操作が受付けられ、前記管理手段が管理している貯蓄遊技媒体数が前記所定数を超えるときに、前記計数情報記憶手段が記憶している遊技媒体数の有無にかかわらず、前記貯蓄遊技媒体数から前記所定数を減算した減算結果を算出する減算手段と、を備え、
前記通信手段は、
前記交換操作が受付けられ、前記管理手段が管理している貯蓄遊技媒体数が前記所定数を超えるときに、前記管理手段が管理している貯蓄遊技媒体数を、前記減算手段により算出された前記減算結果にしたがった貯蓄遊技媒体数となるように更新させるための更新要求を前記管理手段に送信し、
前記交換操作が受付けられ、前記管理手段が管理している貯蓄遊技媒体数が前記所定数より少ないときに、前記管理手段が管理している貯蓄遊技媒体数を、前記管理手段が管理している貯蓄遊技媒体数から前記所定数より少ない特定数を減算した結果にしたがった貯蓄遊技媒体数となるように更新させるための更新要求を前記管理手段に送信し、
前記遊技用装置は、さらに、
前記交換操作が受付けられ、前記管理手段が管理している貯蓄遊技媒体数が前記所定数より少ないときに、前記所定数と前記特定数との差分である差分遊技媒体数を、前記計数情報記憶手段が記憶している遊技媒体数から減算する差分減算手段と、
前記差分減算手段により減算する処理が行なわれたことを特定可能に表示する差分減算表示手段と、
営業終了に際して送信される営業終了時処理要求を受信したことに基づいて、前記計数手段による計数を無効とする計数無効手段と、を備えることを特徴とする遊技用装置。
【手続補正２】
【補正対象書類名】明細書
【補正対象項目名】発明の名称
【補正方法】変更
【補正の内容】
【発明の名称】遊技用装置
【手続補正３】
【補正対象書類名】明細書
【補正対象項目名】０００１
【補正方法】変更
【補正の内容】
【０００１】
本発明は、遊技者が獲得し貯蓄された貯蓄遊技媒体数を遊技用記録媒体の識別情報に対応付けて管理する管理手段と通信可能であり、各遊技機に対応して配置される遊技用装置に関する。
【手続補正４】
【補正対象書類名】明細書
【補正対象項目名】０００２
【補正方法】削除
【補正の内容】
【手続補正５】
【補正対象書類名】明細書
【補正対象項目名】０００３
【補正方法】変更
【補正の内容】
【０００３】
従来より、特許文献１に示すように、遊技者が獲得し貯蓄された貯蓄遊技媒体数を使用して、例えばワゴンサービス等により所望の物品と交換できるようにした景品交換システムがある。この景品交換システムは、遊技場の係員が操作するリモコンから送信される前記所望の物品の注文データをカードユニットが受信すると、該注文データが示す物品に相当する遊技媒体数を遊技者の貯蓄遊技媒体数から引き落とすように構成されている。
【手続補正６】
【補正対象書類名】明細書
【補正対象項目名】０００４
【補正方法】変更
【補正の内容】
【０００４】
【特許文献１】特開平９−２７６５１９号公報
【手続補正７】
【補正対象書類名】明細書
【補正対象項目名】０００５
【補正方法】削除
【補正の内容】
【手続補正８】
【補正対象書類名】明細書
【補正対象項目名】０００６
【補正方法】変更
【補正の内容】
【０００６】
しかしながら、各台計数型の遊技用装置を特許文献１の景品交換システムに適用すると、遊技者が本日獲得した遊技媒体を遊技用装置に計数させた計数遊技媒体数と、遊技者が本日よりも前に獲得した遊技媒体を貯蓄した貯蓄遊技媒体数を使用して、遊技媒体の払出や物品との交換が可能になるが、該物品との交換を行う場合に、単に計数遊技媒体数又は貯蓄遊技媒体数の一方から引き落としただけでは、遊技者にとって不利益が生ずる場合があるという問題がある。
【手続補正９】
【補正対象書類名】明細書
【補正対象項目名】０００８
【補正方法】変更
【補正の内容】
【０００８】
本発明は、このような背景のもとになされたものであり、その目的は、遊技者が獲得した獲得玉を使用して物品の交換する場合に遊技者が極力不利益とならないように制御する遊技用装置を提供することにある。
【手続補正１０】
【補正対象書類名】明細書
【補正対象項目名】０００９
【補正方法】変更
【補正の内容】
【０００９】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
まず請求項１に係る発明は、
遊技者が獲得し貯蓄された貯蓄遊技媒体数を遊技用記録媒体の識別情報に対応付けて管理する管理手段と通信可能であり、各遊技機に対応して配置される遊技用装置であって、
遊技者が獲得した遊技媒体を計数する計数手段と、
該計数手段が計数した遊技媒体数を記憶する計数情報記憶手段と、
前記遊技用記録媒体を受付ける受付手段と、
該受付手段が受付けている遊技用記録媒体の識別情報を前記管理手段に送信するとともに、該送信した識別情報に対応付けて前記管理手段が管理している貯蓄遊技媒体数を特定するための情報を受信する通信手段と、
所定数の遊技媒体と所望の物品とを交換するための交換操作を受付ける交換操作受付手段と、を備え、
前記通信手段は、
前記交換操作が受付けられ、前記管理手段が管理している貯蓄遊技媒体数が前記所定数を超えるときに、前記計数情報記憶手段が記憶している遊技媒体数の有無にかかわらず、前記管理手段が管理している貯蓄遊技媒体数から前記所定数を減算させるための減算要求を前記管理手段に送信し、
前記交換操作が受付けられ、前記管理手段が管理している貯蓄遊技媒体数が前記所定数より少ないときに、前記所定数より少ない特定数を、前記管理手段が管理している貯蓄遊技媒体数から減算させるための減算要求を前記管理手段に送信し、
前記遊技用装置は、さらに、
前記交換操作が受付けられ、前記管理手段が管理している貯蓄遊技媒体数が前記所定数より少ないときに、前記所定数と前記特定数との差分である差分遊技媒体数を、前記計数情報記憶手段が記憶している遊技媒体数から減算する差分減算手段と、
前記差分減算手段により減算する処理が行なわれたことを特定可能に表示する差分減算表示手段と、
営業終了に際して送信される営業終了時処理要求を受信したことに基づいて、前記計数手段による計数を無効とする計数無効手段と、を備えることを特徴とする遊技用装置である。
この請求項１に係る遊技用装置によれば、所定数の遊技媒体と所望の物品とを交換するための交換操作が受付けられ、管理手段が管理している貯蓄遊技媒体数がその物品の交換に必要となる所定数を超えるときには、計数情報記憶手段が記憶している遊技媒体数の有無にかかわらず、管理手段が管理している貯蓄遊技媒体数から所定数を減算させるために、一般的に言って手数料のかからない遊技媒体である計数情報記憶手段が記憶している遊技媒体が、極力温存されて遊技に使用できるようになる。その結果、管理手段が管理している貯蓄遊技媒体数の遊技使用に対して現時点で手数料を徴収している遊技場においては遊技者にとって有利となり、また、管理手段が管理している貯蓄遊技媒体数の遊技使用に対して現時点ではまだ手数料を徴収していない遊技場においては、将来手数料を徴収するようになった時点で遊技者にとって有利となる。また、このような構成によれば、交換操作が受付けられ、管理手段が管理している貯蓄遊技媒体数がその物品の交換に必要となる所定数より少ないときに、所定数と当該所定数より少ない特定数との差分である差分遊技媒体数が、計数情報記憶手段が記憶している遊技媒体数から減算されるため、管理手段が管理している貯蓄遊技媒体数を優先的に物品の交換に使用して差分遊技媒体数だけ計数情報記憶手段が記憶している遊技媒体数から減算されることとなり、一般的に言って手数料のかからない遊技媒体である計数情報記憶手段が記憶している遊技媒体が、極力温存されて遊技に使用できるようになる。その結果、管理手段が管理している貯蓄遊技媒体数の遊技使用に対して現時点で手数料を徴収している遊技場においては遊技者にとって有利となり、また、管理手段が管理している貯蓄遊技媒体数の遊技使用に対して現時点ではまだ手数料を徴収していない遊技場においては、将来手数料を徴収するようになった時点で遊技者にとって有利となる。また、このような構成によれば、差分遊技媒体数を減算する処理を行なったことが特定可能に表示されるために、遊技者がその旨を容易に認識でき、遊技者の認識と減算処理との齟齬が生ずる不都合を極力防止することができる。
また請求項２に係る発明は、
遊技者が獲得し貯蓄された貯蓄遊技媒体数を遊技用記録媒体の識別情報に対応付けて管理する管理手段と通信可能であり、各遊技機に対応して配置される遊技用装置であって、
遊技者が獲得した遊技媒体を計数する計数手段と、
該計数手段が計数した遊技媒体数を記憶する計数情報記憶手段と、
前記遊技用記録媒体を受付ける受付手段と、
該受付手段が受付けている遊技用記録媒体の識別情報を前記管理手段に送信するとともに、該送信した識別情報に対応付けて前記管理手段が管理している貯蓄遊技媒体数を特定するための情報を受信する通信手段と、
所定数の遊技媒体と所望の物品とを交換するための交換操作を受付ける交換操作受付手段と、
前記交換操作が受付けられ、前記管理手段が管理している貯蓄遊技媒体数が前記所定数を超えるときに、前記計数情報記憶手段が記憶している遊技媒体数の有無にかかわらず、前記貯蓄遊技媒体数から前記所定数を減算した減算結果を算出する減算手段と、を備え、
前記通信手段は、
前記交換操作が受付けられ、前記管理手段が管理している貯蓄遊技媒体数が前記所定数を超えるときに、前記管理手段が管理している貯蓄遊技媒体数を、前記減算手段により算出された前記減算結果にしたがった貯蓄遊技媒体数となるように更新させるための更新要求を前記管理手段に送信し、
前記交換操作が受付けられ、前記管理手段が管理している貯蓄遊技媒体数が前記所定数より少ないときに、前記管理手段が管理している貯蓄遊技媒体数を、前記管理手段が管理している貯蓄遊技媒体数から前記所定数より少ない特定数を減算した結果にしたがった貯蓄遊技媒体数となるように更新させるための更新要求を前記管理手段に送信し、
前記遊技用装置は、さらに、
前記交換操作が受付けられ、前記管理手段が管理している貯蓄遊技媒体数が前記所定数より少ないときに、前記所定数と前記特定数との差分である差分遊技媒体数を、前記計数情報記憶手段が記憶している遊技媒体数から減算する差分減算手段と、
前記差分減算手段により減算する処理が行なわれたことを特定可能に表示する差分減算表示手段と、
営業終了に際して送信される営業終了時処理要求を受信したことに基づいて、前記計数手段による計数を無効とする計数無効手段と、を備えることを特徴とする遊技用装置である。
この請求項２に係る遊技用装置によれば、
所定数の遊技媒体と所望の物品とを交換するための交換操作が受付けられ、受信した遊技媒体数を特定するための情報により特定される特定遊技媒体数がその物品の交換に必要となる所定数を超えるときには、計数情報記憶手段が記憶している遊技媒体数の有無にかかわらず、その特定遊技媒体数から所定数を減算させるために、一般的に言って手数料のかからない遊技媒体である計数情報記憶手段が記憶している遊技媒体が、極力温存されて遊技に使用できるようになる。その結果、特定遊技媒体数の遊技使用に対して現時点で手数料を徴収している遊技場においては遊技者にとって有利となり、また、特定遊技媒体数の遊技使用に対して現時点ではまだ手数料を徴収していない遊技場においては、将来手数料を徴収するようになった時点で遊技者にとって有利となる。また、このような構成によれば、交換操作が受付けられ、貯蓄遊技媒体数がその物品の交換に必要となる所定数より少ないときに、所定数と当該所定数より少ない特定数との差分である差分遊技媒体数が、計数情報記憶手段が記憶している遊技媒体数から減算されるため、貯蓄遊技媒体数を優先的に物品の交換に使用して差分遊技媒体数だけ計数情報記憶手段が記憶している遊技媒体数から減算されることとなり、一般的に言って手数料のかからない遊技媒体である計数情報記憶手段が記憶している遊技媒体が、極力温存されて遊技に使用できるようになる。その結果、貯蓄遊技媒体数の遊技使用に対して現時点で手数料を徴収している遊技場においては遊技者にとって有利となり、また、貯蓄遊技媒体数の遊技使用に対して現時点ではまだ手数料を徴収していない遊技場においては、将来手数料を徴収するようになった時点で遊技者にとって有利となる。また、このような構成によれば、差分遊技媒体数を減算する処理を行なったことが特定可能に表示されるために、遊技者がその旨を容易に認識でき、遊技者の認識と減算処理との齟齬が生ずる不都合を極力防止することができる。
【手続補正１１】
【補正対象書類名】明細書
【補正対象項目名】００１０
【補正方法】変更
【補正の内容】
【００１０】
また本願は、以下の発明も含む。
まず手段１に係る発明は、
遊技者が獲得し貯蓄された貯蓄遊技媒体数（貯玉数）を遊技用記録媒体（会員カード２）の識別情報（カードＩＤ）に対応付けて管理する管理手段（獲得玉数管理装置６１）と通信可能であり、遊技島に配置される遊技機（パチンコ機１０）に対応して設けられる遊技用装置（各台計数ユニット５０）であって、
遊技者が獲得した遊技媒体（パチンコ玉）を受け入れて計数し、該計数した遊技媒体を前記遊技島に取り込む計数手段（玉カウンタ３５）と、
前記遊技用記録媒体を受け付ける受付手段（カードＲ／Ｗ２３）と、
該受付手段が受け付けている遊技用記録媒体の識別情報を前記管理手段に対して送信する（Ｓｂ０９で、カードＩＤ等を含むカード受付通知を獲得玉数管理装置６１に対して送信する）と共に、該送信した識別情報に対応付けて前記管理手段が管理している貯蓄遊技媒体数を特定可能な貯蓄遊技媒体数特定情報を受信する（Ｓｂ１０で、貯玉数等を含むカード受付通知を受信する）通信手段（場内通信部２１ｂ，玉貸発券制御部２２）と、
前記管理手段が管理している貯蓄遊技媒体数の範囲内で遊技媒体を払い出すための払出処理であって、所定の手数料が設定されている場合には前記貯蓄遊技媒体数から該手数料分を減算した貯蓄遊技媒体数の範囲内で遊技媒体を払い出すための第１払出処理（Ｓａ１５の再プレイ処理）を行う第１払出処理手段（玉貸発券制御部２２）と、
前記計数手段が計数した計数遊技媒体数（計数玉数＋持玉数＝手元持玉数）の範囲内で遊技媒体を払い出すための第２払出処理（Ｓａ１４の払出処理）を行う第２払出処理手段（玉貸発券制御部２２）と、
残存する前記計数遊技媒体数を特定可能な計数遊技媒体数特定情報（カードＩＤ）が記録された前記遊技用記録媒体（ビジタカード３）を排出する排出処理（Ｓａ１７のカード返却処理）を行う排出処理手段（玉貸発券制御部２２）と、
所定数の遊技媒体と所望の物品とを交換するための交換操作を受け付ける交換操作受付手段（Ｓａ０６でリモコンから送信される交換要求を受信する赤外線受光部２７，玉貸発券制御部２２）と、を有し、
前記通信手段は、前記交換操作を受け付けたこと（Ｓａ０６でＹＥＳ）に基づいて、前記貯蓄遊技媒体数が前記所定数を超えること（Ｓｉ０６でＹＥＳ）を条件として、前記計数遊技媒体数の有無に関わらず、前記貯蓄遊技媒体数から前記所定数を減算させるための減算要求（Ｓｉ１３）を前記管理手段に対して送信し、
また前記通信手段は、前記管理手段から営業終了に際して送信される営業終了時処理要求（締め処理信号）を受信し（Ｓｎ０１）、
該営業終了時処理要求を受信したことに基づいて、当該受信以降において、前記計数手段により受け入れた遊技媒体の前記計数遊技媒体数としての計数は行わずに前記遊技島に取り込む無効取込処理（Ｓｎ３４）を行う無効取込処理手段（計数制御部３１，玉貸発券制御部２２）をさらに有することを特徴とする遊技用装置である。
この手段１に係る遊技用装置によれば、管理手段から営業終了時処理要求を受信したことに基づいて、該営業終了時処理要求の受信後に受け入れた遊技媒体の計数遊技媒体数としての計数は行わずに各遊技機の位置で遊技島に取り込ませることができるので、店員の作業負担を軽減できる。また管理手段が管理している貯蓄遊技媒体数が所望の物品との交換に必要な所定数を超えていれば、計数手段が計数した計数遊技媒体数の有無に関わらず、貯蓄遊技媒体数から所定数が減算されるので、貯蓄遊技媒体数を優先的に物品の交換に使用することとなり、計数遊技媒体数が極力温存されることになる。その結果、貯蓄遊技媒体数を使用した遊技媒体の払出に現時点で手数料を徴収している遊技場においては遊技者にとって有利となり、また現時点ではまだ手数料を徴収していない遊技場においては、将来手数料を徴収するようになった時点で遊技者にとって有利となる。
【手続補正１２】
【補正対象書類名】明細書
【補正対象項目名】００１１
【補正方法】変更
【補正の内容】
【００１１】
また手段２に係る発明は、
手段１に記載した遊技用装置（各台計数ユニット５０）であって、
前記交換操作を受け付けたこと（Ｓａ０６でＹＥＳ）に基づいて、前記貯蓄遊技媒体数（貯玉数）が前記所定数（交換玉数）より少ないこと（Ｓｉ０６でＮＯ）を条件として、前記計数遊技媒体数（計数玉数＋持玉数＝手元持玉数）から該所定数に対する不足分を減算する不足分減算処理（Ｓｉ２２又はＳｉ２４）を行う不足分減算手段（玉貸発券制御部２２）と、
該不足分減算処理を行った旨を報知する（Ｓｉ３８）不足分減算報知手段（ディスプレイ２４，玉貸発券制御部２２）と、をさらに有し、
前記通信手段（場内通信部２１ｂ，玉貸発券制御部２２）は、前記貯蓄遊技媒体数から前記所定数に対する充足分を減算させるための減算要求（Ｓｉ３３）を前記管理手段（獲得玉数管理装置６１）に対して送信することを特徴とする遊技用装置である。
この手段２に係る遊技用装置によれば、管理手段が管理している貯蓄遊技媒体数が所望の物品との交換に必要な所定数より少ないときに、その所定数に対する不足分だけ、計数手段が計数した計数遊技媒体数から減算されるため、貯蓄遊技媒体数を優先的に物品の交換に使用してその不足分だけ計数遊技媒体数から減算することとなり、計数遊技媒体数が極力温存されることになる。その結果、貯蓄遊技媒体数を使用した遊技媒体の払出に現時点で手数料を徴収している遊技場においては遊技者にとって有利となり、また現時点ではまだ手数料を徴収していない遊技場においては、将来手数料を徴収するようになった時点で遊技者にとって有利となる。
【手続補正１３】
【補正対象書類名】明細書
【補正対象項目名】００１２
【補正方法】変更
【補正の内容】
【００１２】
また手段３に係る発明は、
手段１又は２に記載した遊技用装置（各台計数ユニット５０）であって、
前記通信手段（場内通信部２１ｂ，玉貸発券制御部２２）は、
前記第１払出処理（Ｓａ１５の再プレイ処理）による遊技媒体の払出に伴って、前記貯蓄遊技媒体数（貯玉数）から該第１払出処理により払い出す遊技媒体数（払出設定数＋手数料玉数）を減算させるための通信を所定の減算シーケンス（Ｓｈ１１〜Ｓｈ１５）に従って行うと共に、
前記貯蓄遊技媒体数から前記所定数（交換玉数）を減算させるための減算要求を送信するための通信も前記所定の減算シーケンス（Ｓｉ１１〜Ｓｉ１５）に従って行うことを特徴とする遊技用装置である。
この手段３に係る遊技用装置によれば、管理手段が管理している貯蓄遊技媒体数から第１払出処理により払い出す遊技媒体数を減算させるための通信が所定の減算シーケンスに従って行われ、物品の交換に際して管理手段が管理している貯蓄遊技媒体数から所定数を減算させるための減算要求を送信するための通信も前記所定の減算シーケンスに従って行われるために、第１払出処理時の減算シーケンスと同じ減算シーケンスが物品の交換時にも用いられ、同じものを利用できるので好ましい。
【手続補正１４】
【補正対象書類名】明細書
【補正対象項目名】００１３
【補正方法】変更
【補正の内容】
【００１３】
また手段４に係る発明は、
遊技者が獲得し貯蓄された貯蓄遊技媒体数（貯玉数）を遊技用記録媒体（会員カード２）の識別情報（カードＩＤ）に対応付けて管理する管理手段（獲得玉数管理装置６１）と通信可能であり、遊技島に配置される遊技機（パチンコ機１０）に対応して設けられる遊技用装置（各台計数ユニット５０）であって、
遊技者が獲得した遊技媒体（パチンコ玉）を受け入れて計数し、該計数した遊技媒体を前記遊技島に取り込む計数手段（玉カウンタ３５）と、
前記遊技用記録媒体を受け付ける受付手段（カードＲ／Ｗ２３）と、
該受付手段が受け付けている遊技用記録媒体の識別情報を前記管理手段に対して送信する（Ｓｂ０９で、カードＩＤ等を含むカード受付通知を獲得玉数管理装置６１に対して送信する）と共に、該送信した識別情報に対応付けて前記管理手段が管理している貯蓄遊技媒体数を特定可能な貯蓄遊技媒体数特定情報を受信する（Ｓｂ１０で、貯玉数等を含むカード受付通知を受信する）通信手段（場内通信部２１ｂ，玉貸発券制御部２２）と、
前記管理手段が管理している貯蓄遊技媒体数の範囲内で遊技媒体を払い出すための払出処理であって、所定の手数料が設定されている場合には前記貯蓄遊技媒体数から該手数料分を減算した貯蓄遊技媒体数の範囲内で遊技媒体を払い出すための第１払出処理（Ｓａ１５の再プレイ処理）を行う第１払出処理手段（玉貸発券制御部２２）と、
前記計数手段が計数した計数遊技媒体数（計数玉数＋持玉数＝手元持玉数）の範囲内で遊技媒体を払い出すための第２払出処理（Ｓａ１４の払出処理）を行う第２払出処理手段（玉貸発券制御部２２）と、
残存する前記計数遊技媒体数を特定可能な計数遊技媒体数特定情報（カードＩＤ）が記録された前記遊技用記録媒体（ビジタカード３）を排出する排出処理（Ｓａ１７のカード返却処理）を行う排出処理手段（玉貸発券制御部２２）と、
所定数の遊技媒体と所望の物品とを交換するための交換操作を受け付ける交換操作受付手段（Ｓａ０６でリモコンから送信される交換要求を受信する赤外線受光部２７，玉貸発券制御部２２）と、
前記交換操作を受け付けたことに基づいて、前記貯蓄遊技媒体数特定情報から特定される貯蓄遊技媒体数である特定遊技媒体数（カードテーブルで記憶している貯玉数）が前記所定数を超えること（Ｓｉ０６でＹＥＳ）を条件として、前記計数遊技媒体数の有無に関わらず、前記特定遊技媒体数から前記所定数を減算した減算結果を算出する（Ｓｉ０７ａ）減算結果算出手段（玉貸発券制御部２２）と、を有し、
前記通信手段は、前記貯蓄遊技媒体数が前記減算結果に従った貯蓄遊技媒体数となるように更新させるための更新要求（Ｓｉ１３ａ）を前記管理手段に対して送信し、
また前記通信手段は、前記管理手段から営業終了に際して送信される営業終了時処理要求（締め処理信号）を受信し（Ｓｎ０１）、
該営業終了時処理要求を受信したことに基づいて、当該受信以降において、前記計数手段により受け入れた遊技媒体の前記計数遊技媒体数としての計数は行わずに前記遊技島に取り込む無効取込処理（Ｓｎ３４）を行う無効取込処理手段（計数制御部３１，玉貸発券制御部２２）をさらに有することを特徴とする遊技用装置である。
この手段４に係る遊技用装置によれば、管理手段から営業終了時処理要求を受信したことに基づいて、該営業終了時処理要求の受信後に受け入れた遊技媒体の計数遊技媒体数としての計数は行わずに各遊技機の位置で遊技島に取り込ませることができるので、店員の作業負担を軽減できる。また管理手段が管理している貯蓄遊技媒体数を特定可能で該管理手段から受信した貯蓄遊技媒体数特定情報から特定される特定遊技媒体数が所望の物品との交換に必要な所定数を超えていれば、計数手段が計数した計数遊技媒体数の有無に関わらず、特定遊技媒体数から所定数が減算されるので、特定遊技媒体数を優先的に物品の交換に使用することとなり、計数遊技媒体数が極力温存されることになる。その結果、特定遊技媒体数を使用した遊技媒体の払出に現時点で手数料を徴収している遊技場においては遊技者にとって有利となり、また現時点ではまだ手数料を徴収していない遊技場においては、将来手数料を徴収するようになった時点で遊技者にとって有利となる。
【手続補正１５】
【補正対象書類名】明細書
【補正対象項目名】００１４
【補正方法】変更
【補正の内容】
【００１４】
また手段５に係る発明は、
手段４に記載した遊技用装置（第３実施形態に係る玉貸発券制御部２２）であって、
前記交換操作を受け付けたこと（Ｓａ０６でＹＥＳ）に基づいて、前記特定遊技媒体数（カードテーブルで記憶している貯玉数）が前記所定数（交換玉数）より少ないことを条件として、前記計数遊技媒体数（計数玉数＋持玉数＝手元持玉数）から該所定数に対する不足分を減算する不足分減算処理（Ｓｉ２２又はＳｉ２４）を行う不足分減算手段（玉貸発券制御部２２）と、
該不足分減算処理を行った旨を報知する（Ｓｉ３８）不足分減算報知手段（ディスプレイ２４，玉貸発券制御部２２）と、をさらに有し、
前記通信手段（場内通信部２１ｂ，玉貸発券制御部２２）は、前記貯蓄遊技媒体数を零に更新させるための更新要求（Ｓｉ３３ａ）を前記管理手段（獲得玉数管理装置６１）に対して送信することを特徴とする遊技用装置である。
この手段５に係る遊技用装置によれば、管理手段が管理している貯蓄遊技媒体数を特定可能で該管理手段から受信した貯蓄遊技媒体数特定情報から特定される特定遊技媒体数が所望の物品との交換に必要な所定数より少ないときに、その所定数に対する不足分だけ、計数手段が計数した計数遊技媒体数から減算されるため、特定遊技媒体数を優先的に物品の交換に使用してその不足分だけ計数遊技媒体数から減算することとなり、計数遊技媒体数が極力温存されることになる。その結果、特定遊技媒体数を使用した遊技媒体の払出に現時点で手数料を徴収している遊技場においては遊技者にとって有利となり、また現時点ではまだ手数料を徴収していない遊技場においては、将来手数料を徴収するようになった時点で遊技者にとって有利となる。
【手続補正１６】
【補正対象書類名】明細書
【補正対象項目名】００１５
【補正方法】変更
【補正の内容】
【００１５】
また手段６に係る発明は、
手段１〜５のいずれか１つに記載した遊技用装置（各台計数ユニット５０）であって、
前記無効取込処理手段（計数制御部３１，玉貸発券制御部２２）は、前記営業終了時処理要求（締め処理信号）を受信したこと（Ｓｎ０１でＹＥＳ）に基づいて、当該受信以降において、前記計数手段（玉カウンタ３５）により受け入れた遊技媒体（パチンコ玉）を無効遊技媒体数（無効計数玉数）として計数して前記遊技島に取り込むと共に該計数した無効遊技媒体数を記憶する処理（Ｓｎ３４）を、前記無効取込処理として行い、
前記記憶している無効遊技媒体数を集計させるために当該無効遊技媒体数を示す集計情報を出力する（Ｓｎ３５）出力手段（場内通信部２１ｂ，玉貸発券制御部２２）をさらに有することを特徴とする遊技用装置である。
この手段６に係る遊技用装置によれば、営業終了時処理要求を受信したことに基づいて、該営業終了時処理要求の受信後に受け入れた遊技媒体を無効遊技媒体数として計数して記憶し、該無効遊技媒体数を示す集計情報を出力するので、該集計情報に基づいて無効遊技媒体数を正確に把握して、利益を集計できる。
【手続補正１７】
【補正対象書類名】明細書
【補正対象項目名】００１６
【補正方法】変更
【補正の内容】
【００１６】
また手段７に係る発明は、
手段１〜６のいずれか１つに記載した遊技用装置（各台計数ユニット５０）であって、
前記計数手段（玉カウンタ３５）への遊技媒体（パチンコ玉）の受入を可能又は不可能とするシャッタ部材（シャッタ３３）と、
遊技媒体の受入を可能な受入可能状態（開放状態）又は遊技媒体の受入を不可能な受入不可能状態（閉鎖状態）に前記シャッタ部材を制御するシャッタ制御手段（計数制御部３１）と、をさらに有し、
該シャッタ制御手段は、予め定められた計数禁止条件（ストックカード無し，カード受付無し，暗証番号未入力，メンテナンス中，エラー中等）が成立したことに基づいて、前記シャッタ部材を受入不可能状態に制御すると共に、前記営業終了時処理要求を受信したことに基づいて、前記計数禁止条件が成立しているか否かに関わらず、前記シャッタ部材を受入可能状態に制御し（Ｓｎ３１）、
前記シャッタ部材は、遊技用装置の電源がオフになったことに基づいて、遊技媒体の受入を不可能な受入不可能状態になる（例えば、閉鎖方向に付勢されており、ソレノイドの励磁により開放されているシャッタ３３が、電源オフによりソレノイドの励磁が無くなって、付勢力により閉鎖される）ことを特徴とする遊技用装置である。
この手段７に係る遊技用装置によれば、営業終了時処理要求を受信したことに基づいて、計数禁止条件が成立しているか否かに関わらず、シャッタ部材が受入可能状態に制御されるので、営業終了時処理要求の受信後に受け入れた遊技媒体を計数遊技媒体数として計数することなく、各遊技機の位置で遊技島に取り込ませることができると共に、電源オフでシャッタ部材が受入不能状態になるので、閉店後における電断時や営業中における停電時の計数を防止できる。
【手続補正１８】
【補正対象書類名】明細書
【補正対象項目名】００１７
【補正方法】変更
【補正の内容】
【００１７】
また手段８に係る発明は、
手段１〜７のいずれか１つに記載した遊技用装置（各台計数ユニット５０）であって、
該営業終了時処理要求（締め処理信号）を受信したこと（Ｓｎ０１でＹＥＳ）に基づいて、前記計数遊技媒体数（計数玉数）が有ること（Ｓｎ２１でＹＥＳ）を条件として、前記排出処理（Ｓａ１７のカード返却処理）を行うことなく、該計数遊技媒体数を無効とするための無効化処理（Ｓｎ２２）を行う無効化処理手段（玉貸発券制御部２２）をさらに有することを特徴とする遊技用装置である。
この手段８に係る遊技用装置によれば、営業終了に際して管理手段から営業終了時処理要求を送信するのみで、計数手段が計数した計数遊技媒体数を特定可能な計数遊技媒体数特定情報が記録された遊技用記録媒体を排出することなく、該計数遊技媒体数が無効とされるので、遊技用装置から排出されたカードを巡回探索して回収する必要や、回収したカードをカード処理機に持参して１枚づつ挿入する必要がなく、営業終了時における作業負荷や作業時間を低減することができる。
【手続補正１９】
【補正対象書類名】明細書
【補正対象項目名】００１８
【補正方法】変更
【補正の内容】
【００１８】
また手段９に係る発明は、
遊技島に配置される遊技機（パチンコ機１０）に対応して設けられる遊技用装置（各台計数ユニット５０）と、該遊技用装置と通信可能であり、遊技者が獲得し貯蓄された貯蓄遊技媒体数（貯玉数）を遊技用記録媒体（会員カード２）の識別情報（カードＩＤ）に対応付けて管理する管理手段（獲得玉数管理装置６１）と、を備える遊技用システム（１）であって、
前記遊技用装置は、
遊技者が獲得した遊技媒体（パチンコ玉）を受け入れて計数し、該計数した遊技媒体を前記遊技島に取り込む計数手段（玉カウンタ３５）と、
前記遊技用記録媒体を受け付ける受付手段（カードＲ／Ｗ２３）と、
該受付手段が受け付けている遊技用記録媒体の識別情報を前記管理手段に対して送信する（Ｓｂ０９で、カードＩＤ等を含むカード受付通知を獲得玉数管理装置６１に対して送信する）と共に、該送信した識別情報に対応付けて前記管理手段が管理している貯蓄遊技媒体数を特定可能な貯蓄遊技媒体数特定情報を受信する（Ｓｂ１０で、貯玉数等を含むカード受付通知を受信する）通信手段（場内通信部２１ｂ，玉貸発券制御部２２）と、
前記管理手段が管理している貯蓄遊技媒体数の範囲内で遊技媒体を払い出すための払出処理であって、所定の手数料が設定されている場合には前記貯蓄遊技媒体数から該手数料分を減算した貯蓄遊技媒体数の範囲内で遊技媒体を払い出すための第１払出処理（Ｓａ１５の再プレイ処理）を行う第１払出処理手段（玉貸発券制御部２２）と、
前記計数手段が計数した計数遊技媒体数（計数玉数＋持玉数＝手元持玉数）の範囲内で遊技媒体を払い出すための第２払出処理（Ｓａ１４の払出処理）を行う第２払出処理手段（玉貸発券制御部２２）と、
残存する前記計数遊技媒体数を特定可能な計数遊技媒体数特定情報（カードＩＤ）が記録された前記遊技用記録媒体（ビジタカード３）を排出する排出処理（Ｓａ１７のカード返却処理）を行う排出処理手段（玉貸発券制御部２２）と、
所定数の遊技媒体と所望の物品とを交換するための交換操作を受け付ける交換操作受付手段（Ｓａ０６でリモコンから送信される交換要求を受信する赤外線受光部２７，玉貸発券制御部２２）と、を有し、
前記通信手段は、前記交換操作を受け付けたこと（Ｓａ０６でＹＥＳ）に基づいて、前記貯蓄遊技媒体数が前記所定数を超えること（Ｓｉ０６でＹＥＳ）を条件として、前記計数遊技媒体数の有無に関わらず、前記貯蓄遊技媒体数から前記所定数を減算させるための減算要求（Ｓｉ１３）を前記管理手段に対して送信し、
前記管理手段は、前記減算要求を受信したことに基づいて、前記貯蓄遊技媒体数から前記所定数を減算する（Ｓｉ１４）交換遊技媒体数減算手段をさらに有し、
前記通信手段は、前記管理手段から営業終了に際して送信される営業終了時処理要求（締め処理信号）を受信し（Ｓｎ０１）、
前記遊技用装置は、該営業終了時処理要求を受信したことに基づいて、当該受信以降において、前記計数手段により受け入れた遊技媒体の前記計数遊技媒体数としての計数は行わずに前記遊技島に取り込む無効取込処理（Ｓｎ３４）を行う無効取込処理手段（計数制御部３１，玉貸発券制御部２２）をさらに有することを特徴とする遊技用システムである。
この手段９に係る遊技用システムによれば、遊技用装置が管理手段から営業終了時処理要求を受信したことに基づいて、該営業終了時処理要求の受信後に受け入れた遊技媒体の計数遊技媒体数としての計数は行わずに各遊技機の位置で遊技島に取り込ませることができるので、店員の作業負担を軽減できる。また管理手段が管理している貯蓄遊技媒体数が所望の物品との交換に必要な所定数を超えていれば、計数手段が計数した計数遊技媒体数の有無に関わらず、貯蓄遊技媒体数から所定数が減算されるので、貯蓄遊技媒体数を優先的に物品の交換に使用することとなり、計数遊技媒体数が極力温存されることになる。その結果、貯蓄遊技媒体数を使用した遊技媒体の払出に現時点で手数料を徴収している遊技場においては遊技者にとって有利となり、また現時点ではまだ手数料を徴収していない遊技場においては、将来手数料を徴収するようになった時点で遊技者にとって有利となる。
【手続補正２０】
【補正対象書類名】明細書
【補正対象項目名】００１９
【補正方法】変更
【補正の内容】
【００１９】
さらに手段１０に係る発明は、
遊技島に配置される遊技機（パチンコ機１０）に対応して設けられる遊技用装置（各台計数ユニット５０）と、該遊技用装置と通信可能であり、遊技者が獲得し貯蓄された貯蓄遊技媒体数（貯玉数）を遊技用記録媒体（会員カード２）の識別情報（カードＩＤ）に対応付けて管理する管理手段（獲得玉数管理装置６１）と、を備える遊技用システム（１）であって、
前記遊技用装置は、
遊技者が獲得した遊技媒体（パチンコ玉）を受け入れて計数し、該計数した遊技媒体を前記遊技島に取り込む計数手段（玉カウンタ３５）と、
前記遊技用記録媒体を受け付ける受付手段（カードＲ／Ｗ２３）と、
該受付手段が受け付けている遊技用記録媒体の識別情報を前記管理手段に対して送信する（Ｓｂ０９で、カードＩＤ等を含むカード受付通知を獲得玉数管理装置６１に対して送信する）と共に、該送信した識別情報に対応付けて前記管理手段が管理している貯蓄遊技媒体数を特定可能な貯蓄遊技媒体数特定情報を受信する（Ｓｂ１０で、貯玉数等を含むカード受付通知を受信する）通信手段（場内通信部２１ｂ，玉貸発券制御部２２）と、
前記管理手段が管理している貯蓄遊技媒体数の範囲内で遊技媒体を払い出すための払出処理であって、所定の手数料が設定されている場合には前記貯蓄遊技媒体数から該手数料分を減算した貯蓄遊技媒体数の範囲内で遊技媒体を払い出すための第１払出処理（Ｓａ１５の再プレイ処理）を行う第１払出処理手段（玉貸発券制御部２２）と、
前記計数手段が計数した計数遊技媒体数（計数玉数＋持玉数＝手元持玉数）の範囲内で遊技媒体を払い出すための第２払出処理（Ｓａ１４の払出処理）を行う第２払出処理手段（玉貸発券制御部２２）と、
残存する前記計数遊技媒体数を特定可能な計数遊技媒体数特定情報（カードＩＤ）が記録された前記遊技用記録媒体（ビジタカード３）を排出する排出処理（Ｓａ１７のカード返却処理）を行う排出処理手段（玉貸発券制御部２２）と、
所定数の遊技媒体と所望の物品とを交換するための交換操作を受け付ける交換操作受付手段（Ｓａ０６でリモコンから送信される交換要求を受信する赤外線受光部２７，玉貸発券制御部２２）と、を有し、
前記交換操作を受け付けたことに基づいて、前記貯蓄遊技媒体数特定情報から特定される貯蓄遊技媒体数である特定遊技媒体数（カードテーブルで記憶している貯玉数）が前記所定数を超えることを条件として、前記計数遊技媒体数の有無に関わらず、前記特定遊技媒体数から前記所定数を減算した減算結果を算出する（Ｓｉ０７ａ）減算結果算出手段（玉貸発券制御部２２）と、を有し、
前記通信手段は、前記貯蓄遊技媒体数が前記減算結果に従った貯蓄遊技媒体数となるように更新させるための更新要求（Ｓｉ１３ａ）を前記管理手段に対して送信し、
前記管理手段は、前記更新要求を受信したことに基づいて、前記貯蓄遊技媒体数が前記減算結果に従った貯蓄遊技媒体数となるように更新する（Ｓｉ１４ａ）貯蓄遊技媒体数更新手段をさらに有し、
前記通信手段は、前記管理手段から営業終了に際して送信される営業終了時処理要求（締め処理信号）を受信し（Ｓｎ０１）、
前記遊技用装置は、該営業終了時処理要求を受信したことに基づいて、当該受信以降において、前記計数手段により受け入れた遊技媒体の前記計数遊技媒体数としての計数は行わずに前記遊技島に取り込む無効取込処理（Ｓｎ３４）を行う無効取込処理手段（計数制御部３１，玉貸発券制御部２２）をさらに有することを特徴とする遊技用システムである。
この手段１０に係る遊技用システムによれば、遊技用装置が管理手段から営業終了時処理要求を受信したことに基づいて、該営業終了時処理要求の受信後に受け入れた遊技媒体の計数遊技媒体数としての計数は行わずに各遊技機の位置で遊技島に取り込ませることができるので、店員の作業負担を軽減できる。また管理手段が管理している貯蓄遊技媒体数を特定可能で該管理手段から受信した貯蓄遊技媒体数特定情報から特定される特定遊技媒体数が所望の物品との交換に必要な所定数を超えていれば、計数手段が計数した計数遊技媒体数の有無に関わらず、特定遊技媒体数から所定数が減算されるので、特定遊技媒体数を優先的に物品の交換に使用することとなり、計数遊技媒体数が極力温存されることになる。その結果、特定遊技媒体数を使用した遊技媒体の払出に現時点で手数料を徴収している遊技場においては遊技者にとって有利となり、また現時点ではまだ手数料を徴収していない遊技場においては、将来手数料を徴収するようになった時点で遊技者にとって有利となる。
【手続補正２１】
【補正対象書類名】明細書
【補正対象項目名】００２０
【補正方法】削除
【補正の内容】
【手続補正２２】
【補正対象書類名】明細書
【補正対象項目名】００２１
【補正方法】削除
【補正の内容】
【手続補正２３】
【補正対象書類名】明細書
【補正対象項目名】００２２
【補正方法】削除
【補正の内容】
【手続補正２４】
【補正対象書類名】明細書
【補正対象項目名】００２３
【補正方法】削除
【補正の内容】
【手続補正２５】
【補正対象書類名】明細書
【補正対象項目名】００２４
【補正方法】削除
【補正の内容】
【手続補正２６】
【補正対象書類名】明細書
【補正対象項目名】００２５
【補正方法】削除
【補正の内容】
【手続補正２７】
【補正対象書類名】明細書
【補正対象項目名】００２６
【補正方法】削除
【補正の内容】
【手続補正２８】
【補正対象書類名】明細書
【補正対象項目名】００２７
【補正方法】削除
【補正の内容】
【手続補正２９】
【補正対象書類名】明細書
【補正対象項目名】００２８
【補正方法】削除
【補正の内容】
【手続補正３０】
【補正対象書類名】明細書
【補正対象項目名】００２９
【補正方法】削除
【補正の内容】